(57)【要約】      （修正有）【課題】製造に要する手間と時間を大幅に低減し、しかも、コスト面での優位性も備えた人工漁礁を提供する。【解決手段】鉄道から撤去されて廃棄の対象となったコンクリート製枕木１０の端部側を交差させて多角形状の枠組み２０を形成しつつ、同様の枠組み２０が階層を重ねて形成されるように、高さ方向に枕木１０を積み重ねていき、これらが一体に固定されるように結束する。【選択図】図２
0003144705.tif 000002
【実用新案登録請求の範囲】
【請求項１】
鉄道のレール敷設用コンクリート製枕木の廃材を、各枕木の端部側を交差させて多角形状の枠組みを形成しつつ、同様の枠組みが階層を重ねて形成されるように、前記枕木を高さ方向に積み重ねて結束したことを特徴とする人工漁礁。
【請求項２】
積み重ねられて互いに接する前記枕木間に弾性部材を設けた請求項１に記載の人工漁礁。
【請求項３】
前記弾性部材が、ゴムパッドである請求項２に記載の人工漁礁。
【請求項４】
前記枕木を積み重ねていくに際して、前記枕木を間引きして、高さ方向に隣接する前記枕木間の間隔を調整した請求項１〜３のいずれか一項に記載の人工漁礁。
【請求項５】
前記枕木にはレール取り付け孔が穿設されており、前記レール取り付け孔を利用して、積み重ねられた前記枕木を結束した請求項１〜４のいずれか一項に記載の人工漁礁。
【請求項６】
前記レール取り付け孔に棒状の結束具を挿通して、積み重ねられた前記枕木を結束した請求項５に記載の人工漁礁。
【請求項７】
対角に位置する前記結束具に、筋交いを取り付けた請求項６に記載の人工魚礁。
【請求項８】
前記結束具の一方の端部又は両方の端部を突出させてアンカー部とした請求項６又は７のいずれか一項に記載の人工漁礁。
【請求項９】
突出させた前記結束具の端部を尖らせた請求項８に記載の人工漁礁。
【請求項１０】
前記枕木には前記レール取り付け孔に隣接する第二の孔が穿設されており、最上位に位置する前記枕木及び最下位に位置する前記枕木の少なくとも一つに、アンカー部材を前記第二の孔に挿通して取り付けた請求項５〜９のいずれか一項に記載の人工漁礁。
【請求項１１】
前記アンカー部材の先端を尖らせた請求項１０に記載の人工漁礁。
【請求項１２】
前記枕木の上面には、前記枕木の長手方向ほぼ中央の肉厚が他の部位に比して薄くなるように窪んだ凹部が形成されており、最上位に位置する前記枕木及び最下位に位置する前記枕木が、それぞれに形成された前記凹部が外方に向かうように組み立てられた請求項１〜１１のいずれか一項に記載の人工漁礁。
【考案の詳細な説明】
【技術分野】
【０００１】
本考案は、鉄道のレール敷設用コンクリート製枕木の廃材を利用した人工漁礁に関する。
【背景技術】
【０００２】
一般に、海洋に生息する魚貝類は、岩場や岩礁などの起伏に富んだ海底の地形を利用して天敵から身を守り、そのような場所を住処（魚礁）として繁殖している。このため、起伏に乏しい平坦な海底は、身を隠す場所がないことから魚貝類が棲みつきにくく、そのような海域では多くの漁獲量を期待することができないといわれている。そこで、従来、海底の起伏が乏しく、魚貝類が生息しにくい海域では、魚礁となるような人工物（人工漁礁）を設置して、海洋資源としての魚貝類の育成を促すことがなされている（例えば、特許文献１など参照）。
【０００３】
【特許文献１】実開平２−１７０６６号公報
【考案の開示】
【考案が解決しようとする課題】
【０００４】
ところで、特許文献１に記載された人工漁礁は、コンクリート製の台板を製作し、この台板の上面に複数本の支柱を碁盤の目状の配置で立設するとともに、この支柱に、台板に平行に配される棚を階層状に取り付けるというものである。そして、このような人工漁礁は、海中での組み立てを行う必要がなく、その作業も簡単であるとされている。
【０００５】
しかしながら、このような人工漁礁にあっては、コンクリート製の台板を製作するに際して、型枠を組み立てて、次いで、配筋、コンクリート打設、脱枠、養生というように、その製造に手間と時間を要してしまうという不利が考えられる。また、その材料の調達から製造までを新規に行おうとすると、製造コストを低減するにも限界があった。
【０００６】
そこで、本考案者らは、製造に要する手間と時間を大幅に低減し、しかも、コスト面での優位性も備えた人工漁礁を提供することを目的として鋭意検討を重ねた。その結果、鉄道のレール敷設用コンクリート製枕木の廃材が、多大の費用をかけて粉砕処理した上で廃棄されているという現状に着目し、かかる廃材を利用して人工漁礁を製造することを想起するに至った。
【課題を解決するための手段】
【０００７】
本考案に係る人工魚礁は、鉄道のレール敷設用コンクリート製枕木の廃材を、各枕木の端部側を交差させて多角形状の枠組みを形成しつつ、同様の枠組みが階層を重ねて形成されるように、前記枕木を高さ方向に積み重ねて結束した構成としてある。
【考案の効果】
【０００８】
本考案によれば、鉄道のレール敷設用コンクリート製枕木の廃材を有効に活用して、製造に要する手間と時間を大幅に低減できるとともに、コスト面での優位性をも備えた人工漁礁を提供することができる。
【考案を実施するための最良の形態】
【０００９】
以下、本考案の好ましい実施形態について、図面を参照しながら説明する。
なお、図１は、本実施形態に係る人工漁礁の概略を示す平面図である。また、図２、図３は、それぞれ同斜視図、同側面図である。
【００１０】
本実施形態において、人工漁礁１は、鉄道のレール敷設用コンクリート製枕木の廃材を組み立てることによって製造される。これにより、かかる廃材を有効に活用して、その廃棄処理を不要とするだけでなく、人工魚礁１を製造するための手間や時間、さらには、製造コストをも大幅に削減することができる。
【００１１】
人工漁礁１を組み立てるには、まず、鉄道から撤去されて廃棄の対象となった複数の枕木１０を用意する。そして、各枕木１０の端部側を交差させて、多角形状（図示する例では、四角形状）となるように枕木１０を互い違いに組んで枠組み２０を形成する。次いで、同様の枠組み２０が階層を重ねて形成されるように、高さ方向に枕木１０を積み重ねていき、これらが一体に固定されるように結束する。
【００１２】
ここで、鉄道のレール敷設用コンクリート製枕木の一例を図４に示す。レールの敷設に用いられていた枕木１０には、通常、レールを取り付けるためのレール取り付け孔１１と、これに隣接する第二の孔１２とが穿設されている。積み重ねられた枕木１０を結束するには、これらの孔１１，１２のうちレール取り付け孔１１を利用することができる。
【００１３】
なお、実際には、第二の孔１２もレールの取り付けに利用されるが、便宜上、レール取り付け孔１１と区別して説明するものとする。本考案を実施するにあたっては、孔１１，１２のうち、いずれを枕木１０の結束に利用してもよい。
【００１４】
上記の場合、例えば、スタッドボルトなどのような棒状の結束具３０をレール取り付け孔１１に挿通し、この結束具３０の両端に、ナットなどのような固定具３１を取り付ければよい。このとき、図５に示すように、対角に位置する結束具３０には、筋交い６０を取り付けて結束強度を高めることもできる。
図５に示す例では、対角に位置する二組の結束具３０のそれぞれに筋交い６０を取り付けているが、必要に応じて、少なくとも一組の結束具３０に取り付けるようにしてもよい。
【００１５】
積み重ねられて互いに接する枕木１０の間には、例えば、結束具３０としてのスタッドボルトに、固定具３１としてのナットをねじ締めして取り付ける際の締付け力を強くしたり、さらには、衝撃を緩和して枕木１０の破損を防止したりするための弾性部材５０を設けておくのが好ましい（図３参照）。弾性部材５０としては、例えば、ゴムパッドのような弾性材料をシート状に加工したものが挙げられる。
【００１６】
また、人工漁礁１は、海底に設置されるものであることから、潮流に流されてしまわないようにするのが好ましい。このためには、図示するように、結束具３０の端部を突出させてアンカー部とするのが好ましい。この場合、特に図示しないが、アンカー部とされた結束具３０の先端は、海底の接地面に刺さりやすくなるように、鋭利に尖らせてもよい。
【００１７】
また、人工漁礁１は、通常、海上から投下されて海底に設置される。このため、海底まで沈下していく間に、潮流によって天地が逆転しまうことも考えられる。このことを考慮すると、図示するように、結束具３０の両方の端部を突出させて、人工漁礁１の上下にアンカー部を設けた態様とするのが好ましいが、必要に応じて、結束具３０の一方の端部を突出させた態様とすることもできる。
【００１８】
また、最上位に位置する枕木１０と、最下位に位置する枕木１０のうち、その少なくとも一つには、アンカー部材４０を第二の孔１２に挿通して取り付けるようにしてもよい（図３参照）。アンカー部材４０には、長尺ボルトを利用することができ、これを第二の孔１２に挿通してナット４１を螺着して取り付けるなどすればよい。
【００１９】
このような態様とする場合も、設置に際して人工漁礁１の天地が逆転してもいいように、アンカー部材４０は、最上位に位置する枕木１０と、最下位に位置する枕木１０の両方に取り付けておくのが好ましい。また、アンカー部４０の先端も、アンカー部とされた結束具３０の先端と同様に鋭利に尖らせてもよい。
【００２０】
また、枕木１０の上面には、通常、枕木１０の長手方向ほぼ中央の肉厚が他の部位に比して薄くなるように窪んだ凹部１３が形成されている。人工漁礁１を海底に設置する際に、このような凹部１３が接地面に対向していると、接地面に隆起部がある場合に、当該凹部１３が引っかかることで、潮流によって流されにくくすることができる。
【００２１】
このため、人工漁礁１は、図６に示すように、最上位に位置する枕木１０と、最下位に位置する枕木１０とが、それぞれに形成された凹部１３が外方に向かうように組み立てられるようにするのが好ましい。
なお、図１、図２、図５では、枕木１０の凹部１３の図示は省略してある。
【００２２】
また、枕木１０を積み重ねていくに際しては、枕木１０を適当に間引くことによって、高さ方向に隣接する枕木１０間の間隔を調整することができる。
例えば、図１などに示す例では、四角形状の枠組み２０を形成し、その上に、同様の枠組み２０が階層を重ねて形成されるように枕木１０を積み重ねている。この場合には、同一階層に位置する四つの枕木１０のうち対向する二つの枕木１０を間引けばよい。
【００２３】
これによって、図７に示すように、間引かれた枕木１０の上下に位置する枕木１０間の間隔を広げることができる。このように、間引く対象となる枕木１０を適宜選択することで、高さ方向に隣接する枕木１０間の間隔を調整することが可能となる。
【００２４】
ここで、図７に示す例は、図３において、下から二番目の階層に位置する紙面手前側の枕木１０と、紙面奥手側の枕木１０とを間引いたものに相当する。また、特に図示しないが、例えば、枠組み２０を六角形状に形成して、その上に枕木１０を積み重ねていく場合には、同一階層に位置する六つの枕木１０から一つおきに三つの枕木１０を間引けばよい。
【００２５】
以上、本考案について、好ましい実施形態を示して説明したが、本考案は、前述した実施形態にのみ限定されるものではなく、本考案の範囲で種々の変更実施が可能であることは言うまでもない。
【００２６】
例えば、前述した実施形態では、棒状の締結具３０によって積み重ねられた枕木を結束するようにしたが、ワイヤーなどの代替手段を用いて結束するようにしてもよい。また、人工漁礁１を組み立てるにあたり、積み重ねる枕木１０の数も図示する例には限られない。
【産業上の利用可能性】
【００２７】
本考案は、海底に設置して魚貝類の育成を促す人工漁礁として利用することができる。
【図面の簡単な説明】
【００２８】
【図１】本考案に係る人工漁礁の実施形態の概略を示す平面図である。
【図２】本考案に係る人工漁礁の実施形態の概略を示す斜視図である。
【図３】本考案に係る人工漁礁の実施形態の概略を示す側面図である。
【図４】鉄道のレール敷設用コンクリート製枕木の一例を示す斜視図である。
【図５】本考案に係る人工漁礁の実施形態の他の例の概略を示す平面図である。
【図６】本考案に係る人工漁礁の実施形態の他の例の概略を示す側面図である。
【図７】本考案に係る人工漁礁の実施形態の他の例の概略を示す側面図である。
【符号の説明】
【００２９】
１          人工漁礁
１０        枕木
１１        レール取り付け孔
１２        第二の孔
１３        凹部
３０        結束具
４０        アンカー部材
５０        弾性部材（ゴムパッド）
６０        筋交い
【図１】
0003144705.tif 000003
【図２】
0003144705.tif 000004
【図３】
0003144705.tif 000005
【図４】
0003144705.tif 000006
【図５】
0003144705.tif 000007
【図６】
0003144705.tif 000008
【図７】
0003144705.tif 000009